(57)【要約】      （修正有）【課題】操作棒と遊動体とを使用するジャグリング分野において、パフォーマンス性をより向上させたパフォーマンス遊動体を提供する。【解決手段】演技者が両手で一対のパフォーマンス操作棒を動かしたとき、空中に舞い上げられるジャグリング遊具の棒状パフォーマンス遊動体３において、パフォーマンス遊動体の棒状主体部６の少なくとも一端に飾り房部５を設けるとともに、それらの飾り房体を弾性部材１５で連結して、パフォーマンス遊動体に長さ方向の遠心力が働いたとき、棒状主体部から飾り房体を伸縮させる。【選択図】図４
0003179844.tif 000002
【実用新案登録請求の範囲】
【請求項１】
演技者が両手で一対のパフォーマンス操作棒（２ａ，２ｂ）を動かしたとき、空中に舞い上げられるジャグリング遊具の棒状パフォーマンス遊動体（３）において、その棒状主体（６）の少なくとも一端に設けられている飾り房部（５）を前記棒状主体から伸縮可能にしたことを特徴とするジャグリング遊具のパフォーマンス遊動体。
【請求項２】
前記棒状主体の少なくもと端に設けられている飾り房部が伸縮手段（１５）により連結されている請求項１記載のジャグリング遊具のパフォーマンス遊動体。
【請求項３】
前記伸縮手段（１５）は、前記棒状主体（６）をその周方向に正転と逆転させたとき、飾り房部（５）が前記棒状主体から伸縮する雌ねじ（１６）と雄ねじ（１７）との組み合わせからなる請求項１のジャグリング遊具のパフォーマンス遊動体。
【請求項４】
前記飾り房部（５）のうちパフォーマンス操作棒（２）と当接する内側端面の摩擦係数が、パフォーマンス操作棒のそれより大きくなっている請求項１記載のジャグリング遊具のパフォーマンス遊動体。
【請求項５】
前記飾り房部（５）は、その内方側に雌ねじ部（１８）を有し、棒状主体（６）の先端の外径より大きな外径を有する棒状主体の雄ねじ部（８）と螺入可能になっている請求項１記載のジャグリング遊具のパフォーマンス遊動体。
【請求項６】
棒状主体（６）は、複数本の管状棒から構成されているとともに、それらの管状棒のうち隣接する管状棒の内径と外径を相異させて、任意の管状棒に対して隣接する管状棒が挿入可能になっている請求項１記載のジャグリング遊具のパフォーマンス遊動体。
【考案の詳細な説明】
【技術分野】
【０００１】  本考案は、演技者が屋内外で見物人の前で行うパフォーマンスの一種であるジャグリングの分野において使用されるジャグリング遊具のパフォーマンス遊動体の形状及び構造に関するものである。
【背景技術】
【０００２】  従来から種々のジャグリング遊具が公知であるが、その中に図８に示すように、演技者が基端部を両手１ａ、１ｂで持って先端部を空中に掻き回すパフォーマンス操作棒（以下、「操作棒」という。）２ａ、２ｂと、それらの操作棒２ａ、２ｂの先端部に不安定に載せて空中に舞い上げられる棒状パフォーマンス遊動体（以下、「遊動体」という。）３がある（登録実用新案第３１２８６９１号公報）。【０００３】  この遊動棒３の両端には飾り房体４が取り付けられており、遊動棒３がその長手方向の外側に急激に変位すると、慣性作用により飾り房体４を構成しているラッパ状の飾り房５の形状が急激に変化する。そのとき、見物人は飾り房体４の予期しない動きに視覚が刺激され、ジャグリングのパフォーマンスに引き込まれる。
【先行技術文献】
【０００４】
【特許文献】
【特許文献】  登録実用新案第３１２８６９１号公報
【考案の概要】
【考案が解決しようとする課題】
【０００５】  しかしながら、公知の飾り房体４は、前記慣性作用が働いたとき、飾り房５が拡開するか否かのパフォーマンス性しか発揮しないので、見物人は遊動体３の動きに見慣れると、飾り房体４は遊動体３の両端についている単なる飾りに過ぎないと認識して視覚の刺激が減衰されるという問題がある。【０００６】  そこで、本考案者は前記の遊動体３のパフォーマンス性をより向上させ得る構造の遊動体を提案すべく、鋭意、検討したところ、飾り房体４を可動にすればよいという事実を見出し、本考案を完成した。従って、本考案が解決しようとする課題は、ジャグリングのパフォーマンス分野において使用されるジャグリング遊具のパフォーマンス性をより向上させることにある。
【課題を解決するための手段】
【０００７】  本考案は前記の課題を解決するために、演技者が両手で一対の操作棒を動かしたとき、空中に舞い上げられるジャグリング遊具の遊動体において、その遊動体の主体をなす棒状主体の少なくとも一端に設けられている飾り房体を前記棒状主体から伸縮可能にするという手段を採用する。【０００８】  上記手段を採用することにより、演技者が両手で一対の操作棒を動かして、遊動体を空中に舞い上げたり、空中に浮遊させたり、さらに降下させたりするパフォーマンス過程で、前記遊動体にその長さ方向の変位エネルギーを発生させて特定の慣性力により、飾り房体が遊動体から所定距離だけ突然飛び出させる。するとジャグリングを見物していた見物人の視覚的認識、すなわち、遊動体というものは所定の長さしか有していないという視覚的認識が破壊される。ここに遊動体の予期しないパフォーマンス性が発揮される。【０００９】  前記の手段を具体的に機能させるために、本考案においては、前記棒状主体の少なくとも一端に設けられている二つの飾り房体を伸縮手段により連結する。そのため、この伸縮手段に対して所定以上の慣性力が働いたとき、前記飾り房体は、伸縮手段の収縮力に抵抗して遊動体の長さ方向外方に向かって変位し、逆に前記慣性力が所定以下になったとき、飾り房体が伸縮手段の収縮力の作用により今度は内方に変位する。【００１０】  さらに本考案において、前記飾り房体を伸縮させる態様として、前記棒状主体が周方向に正転と逆転するエネルギーを使用することもできる。すなわち、飾り房体が前記棒状主体から伸縮を引き起こす伸縮手段を棒状主体に内蔵させる。【００１１】  本考案は、前記遊動体により大きな慣性力を発生させるために、１本の操作棒に遊動体の一端側を引っ掛けて操作棒の先端部を回転中心として遊動体が面状の軌跡を描くように遊動体に回転を付与する。そこで、前記飾り房体のうち操作棒と当接する内側端面の摩擦係数を操作棒のそれより大きくするという手段を採用する。この手段を採用することにより、操作棒に対して遊動体が滑り難くなり、その結果、前記の回転を確実かつ円滑に続けることが可能になる。【００１２】  他方、本考案においては、このようにジャグリングに対して、前記飾り房体にパフォーマンス性を向上させているので、飾り房体が損傷したり又はその外観を変化させるための飾り房体が必要になったりする。そこで、本考案においては、棒状主体から飾り房体の交換が容易な構造を採用する。すなわち、飾り房体は、その内方側に雌ねじ部を有するとともに、棒状主体の先端は、前記雌ねじと螺合可能でかつ該棒状主体の外径より大きな外径を有する雄ねじ部を有している。そのため、棒状主体に対する飾り房体の交換作業を迅速かつ確実に実施できるのみならず、一旦螺合した雌ねじと雄ねじは相対的に緩み難い。【００１３】  本考案においては、さらに棒状主体を複数本の管状棒から構成するとともに、それらの管状棒のうち隣接する管状棒の内径と外径を相異させて任意の管状棒に対しそれに隣接する管状棒を挿入可能にする。この手段を採用することにより、前記パフォーマンス過程において前記棒状主体そのものを伸縮可能にする。
【考案の効果】
【００１４】  本考案者は、演技者が両手で一対の操作棒を動かして遊動体を空中に舞い上げるジャグリングにおいて、従来周知の遊動体より、ジャグリングのパフォーマンス性を飛躍的に向上させることができる。
【図面の簡単な説明】
【００１５】
【図１】本考案に係る遊動体の斜視図である。
【図２】前記遊動体において飾り房体が伸長した状態を示す前記同様の斜視図である。
【図３】本考案に係る遊動体の要部を示す斜視図である。
【図４】前記同様の要部を部分的に破断して示す斜視図である。
【図５】本考案に係る飾り房体を部分的に分解して示す側面図である。
【図６】前記飾り房体の別の態様を示す同様の側面図である。
【図７】遊動体の別の態様を示す同様の側面図である。
【図８】従来のジャグリング遊具を説明する部分斜視図である。
【考案を実施するための態様】
【００１６】  次に、図面を参照しながら、本考案の好ましい実施形態を詳述する。本考案は、基本的には従来技術と同様に、演技者が両手で一対の操作棒を動かしたとき、空中に舞い上げる遊動体に関する。図１、図２、図３、図４及び図５に示すように、この遊動体３は、木製、ブラスチック製、硬質紙製、金属製又は竹製の管体を２本接続させた棒状主体６と、その少なくも一端、好ましくは両端に設けられている飾り房体４とからなる。
【００１７】  図示されていないが、本考案において前記棒状主体６を複数本の短い管状棒から構成するとともに、それらの管状棒のうち隣接する管状棒の内径と外径を相異させて、任意の管状棒に対し隣接する管状棒を挿入可能にして、パフォーマンス過程において前記棒状主体６そのものの長さを伸縮可能にできる。この態様において、釣竿のように隣接する管状棒の内外径を棒状主体６の一端部から他端部にかけて順次小さく又は大きくすることもできるし、両端部に位置する二つの管状棒の間に内外径が小さな又は大きな１本の管状棒を挿入することも可能である。
【００１８】  前記飾り房体４は、棒状主体６に基端部７ａが挿入・支持された芯棒７と、その芯棒７の先端部７ｂに外挿・支持されたフランジ状の支持部８と、その支持体８の外周面に短冊状、割線状、紐状その他の形状を有する飾り房５の基端部５ａと、それを支持部８に締め付け・固定するバンド９とからなる。なお、前記芯棒７の基端部７ａには後述する第一ストッパーの透孔に対する通過を遮断するフランジ状のストッパー１３が固定されている。
【００１９】  前記棒状主体６の先端には、図４に示すように、飾り房体４の芯棒７が挿通する透孔１０を有する第一ストッパー１１が棒状主体６と一体的に固定されている。さらに前記棒状主体６の内方側において第一ストッパー１１から所定距離離れた部位には、透孔１４を有する鍔状の第二ストッパー１２が固定されている。
【００２０】  このような構造を有する棒状主体６の中には、第二ストッパー１２の透孔１４を貫通する伸縮手段１５、例えば、スプリング、ゴム紐又は弾性繊維紐等が設けられており、少なくとも一端部１５ａ、好ましくは両端部（図４には一端部しか描かれていない。）が、飾り房体４の芯棒７の基端部７ａに接合されている。そのため、後述するように飾り房体４に所定の慣性力が働いたとき、図４に示すように、飾り房体４が外方に変位し、慣性力が所定以下になったとき、図３に示すように、飾り房体４が内方に変位するように、飾り房体４が伸縮可能になっている。
【００２１】  次に、本考案の作用・効果について説明すると、従来と同様に演技者が両手で一対の操作棒を操作して、遊動体３を空中に舞い上げる。そして、１本又は２本の操作棒により遊動体３をその周方向に回転する向き以外の向き、例えば、遊動体３の長さの向き及び／又は任意の仮想軸を中心に遊動体３が回転する向きに急激に変位させると、飾り房体４に慣性力が発生する。
【００２２】  前記の慣性力が所定の大きさになると、少なくとも一つの飾り房体４は、伸縮手段１５がその長さを保持しようとする力に抵抗して、外方に飛び出す。しかし、棒状主体６には第一ストッパー１１があるので、外方に飛び出した飾り房体４の芯棒７のストッパー１３が第一ストッパー１１に遮られて、飾り房体４の変位は所定の位置でストップする。
【００２３】  逆に、前記慣性力が所定以下に低下すると、伸縮手段１５が飾り房体４を棒状主体６の内方に引き寄せる。このように遊動体３の空中パフォーマンスに応じて、飾り房体４は遊動体３から飛び出したり引っ込んだりするので、本考案は、従来周知のジャグリングには存在しなかったパフォーマンス性を発揮する。
【００２４】  本考案は、その根本的技術思想を踏襲し、その効果を著しく損なわない限度において、前記実施態様に一部分を変更して、例えば、次のように実施できる。
【００２５】  図５に示すように、飾り房体４の飾り房５を棒状主体６及び／又は芯棒７の摩擦係数より大きい摩擦係数を有する材料から作るとともに、その基端部５ａを飾り房５の支持体８及び締め付けバンド９より棒状主体６側に少し突出させることにより、ジャグリング時に前記基端部５ａに操作棒２を係止させて、その係止部を中心にして遊動体３を回転させたとき、操作棒２と飾り房体４とが離れ難くなる。
【００２６】  すると、上記のジャグリング時に一つの飾り房体４から棒状主体４が延びるとともに、棒状主体４からさらに他の一つの飾り房体４も延びるので、このジャグリングのパフォーマンス性は一層向上する。
【００２７】  以上は、図４に示すように、棒状主体６の中に伸縮手段１５を内蔵させることにより、棒状主体６から飾り房体４を伸長させる態様について説明したが、ジャグリング時には棒状主体６そのものも周方向に回動するので、この回動力を利用して飾り房体４を伸長させることもできる。
【００２８】  すなわち、図６に示すように、棒状主体６の一端側に雌ねじ１６を螺刻するとともに、飾り房体４の芯棒７にその雌ねじ１６と螺合する雄ねじを設ける。そして同様に、棒状主体６の他の一端側にねじの回転向きが異なる同様の雌ねじと雄ねじ（いずれも図示なし）を設ける。
【００２９】  するとジャグリング時に棒状主体６そのものが周方向の一方の向きに回転すると、飾り房体４は、棒状主体６から、例えば、外方に伸び、逆に他の向きに回転すると、飾り房体４は棒状主体６の中に引っ込む。
【００３０】  このようにパフォーマンス性を高めるジャグリングを実施してゆくと、飾り房体４が損傷する。そこで本考案では、図７に示すように、飾り房体４の基端部５ａに鍔状の環状雌ねじ部材１８を設け、その外側に飾り房５を巻いてバンド９に固定する。そして、芯棒７に取り付けた支持体８に前記雌ねじ部材１８と螺合する雄ねじ１９を形成する。
【００３１】  すると、飾り房体４が損傷したとき、それを芯棒７から取り外し、その代わりに同様の構造を有する新しい飾り房体４を芯棒７に取り付けることができる。
【産業上の利用可能性】
【００３２】  本考案は、エンタテーメント分野において操作棒と遊動体を使用するジャグリングに有効に利用できる。
【符号の簡単な説明】
【００３３】  １ａ：右手、１ｂ：左手、２、２ａ、２ｂ：棒状パフォーマンス操作棒、３：棒状パフォーマンス遊動体、４：飾り房体４：飾り房、６：棒状主体、７：芯棒、７ａ：基端部，７ｂ：先端部、８：支持体、９：締め付けバンド、１０：透孔、１１：第一ストッパー、１２：第二ストッパー、１３：ストッパー、１４：透孔、１５：伸縮手段、１６：雌ねじ、１７：雄ねじ、１８：雌ねじ部材、１９：雄ねじ。
【図１】
0003179844.tif 000003
【図２】
0003179844.tif 000004
【図３】
0003179844.tif 000005
【図４】
0003179844.tif 000006
【図５】
0003179844.tif 000007
【図７】
0003179844.tif 000008
【図６】
0003179844.tif 000009
【図８】
0003179844.tif 000010